(57)【要約】【課題】対象物を均一に照明する照明器具を提供する。【解決手段】実施形態によれば、光源モジュールと、反射部材と、器具本体と、を備えた照明器具が提供される。前記光源モジュールは、内部に光源を有する。前記反射部材は、前記光源モジュールの側面を囲む。前記器具本体は、前記光源モジュールと、前記反射部材とを設けている。前記光源モジュールと、前記反射部材との間には前記光源モジュールからの光が斜め上方に出射されるスリットが形成される。【選択図】図１
2015225762.tif 000002
【特許請求の範囲】
【請求項１】
内部に光源を有する光源モジュールと；
前記光源モジュールの側面を囲む反射部材と；
前記光源モジュールと、前記反射部材とが設けられる器具本体と；
を備え、
前記光源モジュールと、前記反射部材との間には前記光源モジュールからの光が斜め上方に出射されるスリットが形成されたことを特徴とする照明器具。
【請求項２】
前記反射部材は、前記光源モジュールの長手方向の側面を囲む反射板と、前記光源モジュールの短手方向の側面を囲む端板と、を有し、
前記スリットは、前記光源モジュールと、前記反射板と、の間に形成されたことを特徴とする請求項１記載の照明器具。
【請求項３】
前記光源モジュールは、傾斜部と、底部と、を有するカバーを有し、
前記反射板の少なくとも一部は、前記傾斜部に対向することを特徴とする請求項２記載の照明器具。
【請求項４】
前記反射板及び前記端板は、前記器具本体の両端で連結されたことを特徴とする請求項２または３に記載の照明器具。
【発明の詳細な説明】
【技術分野】
【０００１】
本発明の実施形態は、照明器具に関する。
【背景技術】
【０００２】
天井に取り付けられて室内を照明する照明器具がある。照明器具は、光源モジュールと、この光源モジュールを収容する器具本体と、を有する。光源モジュールの近傍に反射板を設けることで、光源モジュールからの光が対象物に均一に照射される。このような照明器具において、対象物を均一に照明することが望まれる。
【先行技術文献】
【特許文献】
【０００３】
【特許文献１】特開２０１１−１６５５７７号公報
【発明の概要】
【発明が解決しようとする課題】
【０００４】
本発明の実施形態は、対象物を均一に照明する照明器具を提供する。
【課題を解決するための手段】
【０００５】
本発明の実施形態によれば、光源モジュールと、反射部材と、器具本体と、を備えた照明器具が提供される。前記光源モジュールは、内部に光源を有する。前記反射部材は、前記光源モジュールの側面を囲む。前記器具本体は、前記光源モジュールと、前記反射部材とを設けている。前記光源モジュールと、前記反射部材との間には前記光源モジュールからの光が斜め上方に出射されるスリットが形成される。
【発明の効果】
【０００６】
本発明の実施形態によれば、対象物を均一に照明する照明器具を提供することができる。
【図面の簡単な説明】
【０００７】
【図１】本実施形態の照明器具の外観図である。
【図２】本実施形態の照明器具の平面図である。
【図３】本実施形態の照明器具の側面図である。
【図４】図４（ａ）及び図４（ｂ）は、本実施形態の光源モジュールの模式的斜視図である。
【図５】本実施形態の照明器具の一部の分解斜視図である。
【図６】本実施形態の照明器具の内部を示した図である。
【図７】光源モジュールと反射板との模式的斜視図である。
【発明を実施するための形態】
【０００８】
実施形態に係る発明は、内部に光源を有する光源モジュールと；前記光源モジュールの側面を囲む反射部材と；前記光源モジュールと、前記反射部材とが設けられる器具本体と；を備え、前記光源モジュールと、前記反射部材との間には前記光源モジュールからの光が斜め上方に出射されるスリットが形成されたことを特徴とする照明器具である。
この照明器具によれば、対象物を均一に照明する照明器具を提供することができる。
【０００９】
また、前記反射部材は、前記光源モジュールの長手方向の側面を囲む反射板と、前記光源モジュールの短手方向の側面を囲む端板と、を有し、前記スリットは、前記光源モジュールと、前記反射板と、の間に形成されたことを特徴とする照明器具である。
この照明器具によれば、対象物を均一に照明する照明器具を提供することができる。
【００１０】
また、前記光源モジュールは、傾斜部と、底部と、を有するカバーを有し、前記反射板の少なくとも一部は、前記傾斜部に対向することを特徴とする照明器具である。
この照明器具によれば、照明器具の上方側及び下方側の照度を上げると共に、対象物を均一に照明することができる。
【００１１】
また、前記反射板及び前記端板は、前記器具本体の両端で連結されたことを特徴とする照明器具である。
この照明器具によれば、照明器具内の構成要素の連結強度を上げることができる。
【００１２】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１３】
図１は、本実施形態の照明器具の外観図である。
図２は、本実施形態の照明器具の平面図である。
図３は、本実施形態の照明器具の側面図である。
図４（ａ）及び図４（ｂ）は、本実施形態の光源モジュールの模式的斜視図である。
図５は、本実施形態の照明器具の一部の分解斜視図である。
【００１４】
図４（ａ）及び図４（ｂ）は、光源モジュール２０を取り外した状態を示している。図５において、反射部材が器具本体に取り付けることが示されている。
【００１５】
図１〜図３に表すように、照明器具１００は、器具本体１０と、光源モジュール２０と、反射部材３０と、を備える。
本実施形態の照明器具１００において、器具本体１０の取付面１０ａが天井面に取り付けられている。照明器具１００は、室内に光を照射する。例えば、照明器具１００は、教室の天井面に設置され、教室内を照明するスクールソフトである。なお、照明器具１００は、天井面に限ることなく、例えば、壁面などに取り付けても良い。
【００１６】
また、照明器具１００は、天井面の下方にある空間と、天井面に向けて光を照射する。ただし、照明器具１００は、必ずしも両面照射型の照明器具でなくても良い。片面照射型の照明器具でも良い。
【００１７】
器具本体１０は、例えば、シャーシである。器具本体１０として、鉄、アルミニウム、または、ステンレスなどの金属材料が用いられる。器具本体１０は、複数の矩形状の金属板を組み合わせてボックス状に形成されている。
【００１８】
器具本体１０には、ボルト、ナット、ワッシャー等を有する金具が取り付けられる。照明器具１００は、金具を介して天井面に取り付けられる。器具本体１０は、室内側から天井に取り付けられる。つまり、照明器具１００は、直付け型の器具である。照明器具１００が天井面と略面一になるように、器具本体１０は、天井面に取り付けられても良い。つまり、照明器具１００は、埋め込み型の器具でも良い。
【００１９】
光源モジュール２０は、その内部に光源を有する。光源モジュール２０は、電源装置（図示せず）からの電力の供給に応じて光源を点灯させ、光を照射する。光源モジュール２０は、取付面１０ａに対向する面側から器具本体１０に取り付けられる。
【００２０】
図４に表すように、光源モジュール２０は、支持体２１と、カバー２２と、保持部材２３と、側板２４と、を備える。支持体２１は、光源が設けられた基板等を支持する。
【００２１】
光源には、例えば、発光ダイオード（Light Emitting Diode：ＬＥＤ）が用いられる。光源は、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでも良い。光源は、電球などでも良い。
【００２２】
カバー２２は、支持体２１に取り付けられ、支持体２１上の基板に設けられた光源を覆う。カバー２２は、外力や塵埃などから光源を保護する。カバー２２は、光透過性を有する。カバー２２は、光源の放出する光に対して光透過性である。カバー２２は、透明である。カバー２２は、光拡散性を有しても良い。カバー２２には、光透過性の樹脂材料が用いられる。カバー２２は、傾斜部２２ａと、底部２２ｂと、を有する。
【００２３】
保持部材２３は、カバー２２を支持体２１に保持する。つまり、保持部材２３は、カバー２２を支持体２１から外れないようにする。光源モジュール２０には、複数の保持部材２３が設けられる。この例では、３つの保持部材２３が設けられる。保持部材２３の数は、任意で良い。保持部材２３の数は、１つまたは２つでも良いし、４つ以上でも良い。
【００２４】
保持部材２３には、例えば、鉄、アルミニウム、または、ステンレスなどの金属材料が用いられる。保持部材２３には、例えば、樹脂材料などを用いてもよい。但し、保持部材２３には、上記のような金属材料を用いることが好ましい。これにより、例えば、保持部材２３の耐久性を向上させることができる。また、保持部材２３は、例えば、１枚の板材料から形成される。これにより、例えば、部品点数を削減することができる。例えば、光源モジュール２０のコストを抑えることができる。例えば、保持部材２３に樹脂材料を用いる場合、保持部材２３は、射出成形などによって形成された１つの部品であることが好ましい。
【００２５】
側板２４は、カバー２２の長手方向の両端部に設けられている。側板２４の形状は、略扇形状である。
【００２６】
反射部材３０は、反射板３１と、端板３２と、を備える。反射部材３０は、光源モジュール２０内の光源から照射された光を反射する。反射部材３０によって反射された光は、照明器具１００の下方に向かう。反射板３１は、光源モジュール２０の長手方向の側面（傾斜部２２ａ）を覆う。端板３２は、光源モジュール２０の短手方向の側面（側板２４）を覆う。端板３２の内壁面に反射体が設けられても良い。また、端板３２は、反射体で形成されていても良い。
【００２７】
図５に表すように、反射板３１及び端板３２は、取付金具３３及び補助金具３４を用いて器具本体１０に取り付けられる。２枚の反射板３１は、補助金具３４によって固定される。反射板３１を補助金具３４に固定する場合、リベット３５が用いられる。
【００２８】
補助金具３４の上に取付金具３３を配置し、リベット３５を用いて取付金具３３を器具本体１０に取り付ける。また、ねじ３６を用いて取付金具３３を補助金具３４に取り付ける。その後、ねじ等を用いて取付金具３３を端板３２に取り付ける。反射板３１及び端板３２は、器具本体１０の両端で連結される。
【００２９】
図６は、本実施形態の照明器具の内部を示した図である。
図７は、光源モジュールと反射板との模式的斜視図である。
図６は、図３から見た内部の状態を示している。図７において、光源モジュール２０と反射板３１との拡大斜視図が示されている。
【００３０】
光源モジュール２０は、２枚の反射板３１との間であって器具本体１０上に設けられている。また、カバー２２の傾斜部２２ａと、反射板３１と、の間にスリット１０ｓ（隙間）が形成されている。スリット１０ｓが形成されているので、光源モジュール２０からの光は、傾斜部２２ａを通って天井側に照射され易い。天井側の照度に寄与する。
【００３１】
また、反射板３１の一部は、カバー２２の傾斜部２２ａに対向している。また、反射板３１の一部は、カバー２０の底部２２ｂより上に配置されている。このような構成によって、天井側に照射された光の一部が反射板３１によって反射され、反射された光は、天井面の下方に照射され易い。天井面の下方、例えば、室内の照度に寄与する。
【００３２】
反射板３１は、例えば、一枚の板金から形成されている。反射板３１は複数の屈曲部分３１ｆを有する。反射板３１が複数の屈曲部分３１ｆを有するので、天井面の下方側に照射される光の方向を定めることができる。また、２枚の反射板３１は光源モジュール２０を覆うことができる。
【００３３】
スリット１０ｓを形成するように、照明器具１００内に光源モジュール２０と反射板３１とを配置すると、照明器具１００の上方側及び下方側の照度を上げることができる。照明器具１００が室内の天井面に設置される場合、天井側及び室内の照度を上げることができる。
【００３４】
本実施形態によれば、対象物を均一に照明する照明器具を提供することができる。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。また、前述の各実施形態は、相互に組み合わせて実施することができる。
【符号の説明】
【００３６】
１０…器具本体、  １０ａ…取付面、  １０ｓ…スリット、  ２０…光源モジュール、  ２１…支持体、  ２２…カバー、２２ａ…傾斜部、  ２２ｂ…底部、  ２３…保持部材、  ２４…側板、  ３０…反射部材、  ３１…反射板、  ３１ｆ…屈曲部分、  ３２…端板、  ３３…取付金具、  ３４…補助金具、  ３５…リベット、３６…ねじ、  １００…照明器具
【図１】
2015225762.tif 000003
【図２】
2015225762.tif 000004
【図３】
2015225762.tif 000005
【図４】
2015225762.tif 000006
【図５】
2015225762.tif 000007
【図６】
2015225762.tif 000008
【図７】
2015225762.tif 000009